(57)【要約】【課題】補強用のリブを形成することによって軽量化することができるとともに、リブを利用して操作レバー２の回動を円滑にガイドする。【解決手段】医療用ステープルの打ち出し機構を設けたステープラ本体１と、このステープラ本体１に往復動可能に設けられて上記打ち出し機構を作動させる操作レバー２とを備え、操作レバー２の外側面とステープラ本体１の内側面に、操作レバー２をステープラ本体１に対して回動操作したときに回動操作範囲の全域において互いに当接するリブ１４ａ、１４ｂ、１９ａ、１９ｂを形成した。【選択図】図６
2006006816.tif 000002
【特許請求の範囲】
【請求項１】
医療用ステープルの打ち出し機構を設けたステープラ本体と、このステープラ本体の内側空洞部に往復動可能に設けられて上記打ち出し機構を作動させる操作レバーとを備え、
操作レバーの内側空洞部の外側面とステープラ本体の内側面に、操作レバーをステープラ本体に対して回動操作したときに回動操作範囲の全域において互いに当接するリブを形成したことを特徴とする医療用ステープラの操作レバーガイド機構。
【請求項２】
少なくとも前記リブの一方側のリブが操作レバー回動軸と同心かつ同径の円弧状に形成されている、請求項１記載の医療用ステープラの操作レバーガイド機構。
【発明の詳細な説明】
【技術分野】
【０００１】
本発明は、外科手術などで切開した部位を縫合するための医療用ステープラの操作レバーを操作時にガイドする操作レバーガイド機構に関するものである。
【背景技術】
【０００２】
一般に、外科手術で生体組織を切開した後は、傷口を縫合糸で縫合することが行われているが、手術痕が目立たない、治りが早いなどの理由からステープルで縫合する方式もよく採用されている。
【０００３】
ステープルによる縫合のための医療用のステープラは、打ち出し機構を含むステープラ本体と上記打ち出し機構を作動させる操作レバーとから構成され、それぞれ合成樹脂材によって成形されている。
【０００４】
そして、断面がほぼＵ字形に形成されたステープラ本体の内側に逆向きのＵ字形に形成した操作レバーを回動自在に軸支させるとともに、内側に収まった操作レバーの外側面をステープラ本体の内側面に摺接させることによって、回動操作時に操作レバーの振れを防止するようにしている。
【０００５】
ところで、このような機構では、操作レバーの質量を小さくするためと材料節約のため、肉抜きをすることが行なわれている。
【０００６】
しかし、肉抜きをすると薄くなるので、強度が小さくなるため、強度を補強するため、操作レバーの外周面側にリブを形成した構造が採用されている場合が多い。
【特許文献１】特公平７−１０８２９５号公報
【特許文献２】特許第２５５２８９４号公報
【発明の開示】
【発明が解決しようとする課題】
【０００７】
しかしながら、単にステープラ本体の内側と操作レバーの外側とに設けた場合には、操作レバーの操作時に偏荷重によるステープルの打ち出し不良に対応できないという問題があった。
【０００８】
本発明は上記問題点を解消し、補強用のリブを形成することによって軽量化することができるとともに、リブを利用して操作レバーの回動を円滑にガイドすることができる、医療用ステープラの操作レバーガイド機構をその課題とする。
【課題を解決するための手段】
【０００９】
本発明に係る医療用ステープラの操作レバーガイド機構は、医療用ステープルの打ち出し機構を設けたステープラ本体と、このステープラ本体の内側空洞部に往復動可能に設けられて上記打ち出し機構を作動させる操作レバーとを備え、操作レバーの外側面とステープラ本体の内側空洞部の内側面に、操作レバーをステープラ本体に対して回動操作したときに回動操作範囲の全域において互いに当接するリブを形成したことを特徴とする。
【００１０】
なお、少なくとも前記リブのうちの一方側のリブが、操作レバー回動軸と同心かつ同径の円弧状に形成するようにしてもよい。
【発明の効果】
【００１１】
請求項１に係る発明によれば、操作レバーを操作すると、徐々にステープラ本体の内側空洞部内に入り込んでゆく。そして、操作レバーの外側面のリブは、ステープラ本体の内側面のリブに回動操作の全域で当接しながら回動する。したがって、操作レバーは安定的にガイドされ、操作レバーの振れ等を良好に防止し、操作レバーをその作動開始から終了まで滑らかに回動操作することができる。
【００１２】
しかも、操作レバーのガイドは補強効果のあるリブによって行なわれるので、軽量化することができるとともに、肉抜きをして薄くしても、強度が低下することがあまりない。
【００１３】
また、リブでガイドすることにより、ステープラ本体の両側部間のスペースを大きくとることができ、操作レバーの手掛け部も十分に幅広に形成することができる。
【００１４】
請求項２に係る発明によっても、操作レバーは安定してガイドされ、操作レバーの振れ等を良好に防止し、操作レバーをその作動開始から終了まで滑らかに回動操作することができる。
【実施例】
【００１５】
図１は本発明の１実施例の斜視図であり、図２は上記ステープラの前部の拡大図である。図において符号１はステープラ本体、２は操作レバーを示す。
【００１６】
ステープラ本体１のヘッド部1ａの内部先端にはマガジン３が着脱自在に設けられている。マガジン３には医療用ステープラの収納部４が形成されているとともに、該収納部４の前端に形成された打ち出し部５の上部にはドライバプレート６が上下方向に摺動自在に配置され、打ち出し部５の下部にはアンビル７が形成されている。ドライバプレート６は常時初期位置にあるようにバネ８によって付勢されている。なお、図５（ａ）に示したように、ドライバプレート６の下端は、倒立した凹字状に形成され、両側に突片６ａが形成されている。また、収納部４内のステープル９は図示しない送り手段により常時打ち出し部５に供給されるように構成されている。
【００１７】
操作レバー２は回動軸１０に往復回動可能に取り付けられ、その前端部２ａは往動時に上記ドライバプレート６の上端に当接可能に配置されている。
【００１８】
次に、上記打ち出し機構の作動態様について説明すると、操作レバー２を引き操作して一方向に回動（往動）させると、図３および図４に示されるように、操作レバー２の前端部２ａによりドライバプレート６は下方に押圧され、バネ力に抗して移動し、打ち出し部５に供給されたステープル９を押し出す。押し出しの途中でステープル９のクラウン部９ａの中央はアンビル７に支持され、それ以上下方には移動できない。これに対し、ドライバプレート６の両側に形成された突片６ａがステープル９のクラウン部９ａの両側を押圧するので、図５（ｂ）（ｃ）に示されるように、ステープル９の両側部分だけが押し下げられ、アンビル７の両端を中心にステープル９の両脚部９ｂは互いに近づくように曲がっていく。その後、操作レバー２を移動端まで移動させた後、操作レバー２に対する力を解除して復動させ、ステープル９をドライバプレート６とアンビル７から解放すれば、1個所の傷口の縫合は終了する。同じ操作を繰り返すことにより傷口全体の縫合が完成する。
【００１９】
次に、図６および図７に示されるように、ステープル本体１と操作レバー２とは次のように構成されている。
【００２０】
ステープラ本体１はヘッド部を除き、下方に開放されたコ字形の形状に形成され、内側には空洞部１２が形成されている。そして、ステープラ本体１の側部１ｂの内側面には円弧状のリブ１４ａが形成されている。このリブ１４ａは回動軸１０を中心とする円弧上に形成されている。なお、操作レバー２の手前側に配置されるステープラ本体１の他方の内側面にも、上記リブ１４ａの正反対側に、同様のリブ１４ｂ（図７参照）が形成されている。
【００２１】
また、ステープラ本体１の後部には、先端に顎部を有する弾性片１６が形成されている。
【００２２】
操作レバー２はステープラ本体１の内側面に平行な面板部１５を備え、その前部には回動軸１０が形成されているとともに、下部には手掛け部１７を有し、後部にはガイド凸部１８が形成されている。操作レバー２を往復動させるとき、上記弾性片１６の先端は上記ガイド凸部１８を周回するようになっている。
また、面板部１５の両外側面と縁部にはリブ１９ａ、１９ｂ、１９ｃが形成されている。面板部１５の両外側面のリブ１９ａ、１９ｂは回動軸１０を中心とする円弧で、上記ステープラ本体１のリブ１４ａ、１４ｂの円弧と同心かつ同径の円弧上に形成されている。なお、図の中央のリブ１９ｂは補強リブでガイドには関係しない。
【００２３】
上記構成によれば、図６および図７の状態にある操作レバー２をステープラ本体１に対し上記回動軸１０を中心に回動させると、図８、図９に示されるように、操作レバー２は徐々にステープラ本体１の内側空洞部１２内に入り込んでゆく。このとき、ステープラ本体１の内側面のリブ１４ａ、１４ｂと操作レバー２の両外側面のリブ１９ａ、１９ｂとは同じ円弧であるから、最初から最後まで互いに当接しながら回動する。つまり、操作レバー２の両外側面のリブ１９ａ、１９ｂは、ステープラ本体１の両内側面のリブ１４ａ、１４ｂに回動操作の全域で当接しながら回動する。したがって、操作レバー２は振れ等がなく安定的にガイドされて回動し、その作動開始から終了まで滑らかに回動操作することができる。
【００２４】
しかも、操作レバー２のガイドは補強リブ１４ａ、１４ｂ、１９ａ、１９ｂによって行なわれるので、軽量化することができるとともに、肉抜きをして薄くしても強度は補強される。同時に左右両側の対称位置に各リブが配置されることでより安定したガイドを実現できる。
【００２５】
また、リブでガイドすることにより、ステープラ本体１の両側部間のスペースを大きくとることができ、操作レバー２の手掛け部１７も十分に幅広に形成することができる。
【００２６】
さらに、上記リブはガイド用としてだけでなく、補強用としても機能する。
【００２７】
なお、操作レバー２の両外側のリブ１９ａ、１９ｂとステープラ本体１の両内側面のリブ１４ａ、１４ｂとは、なるべく回動軸１０から遠い位置に設けるのが好ましい。その方が、操作レバー２の回動時の振れをより確実に防止することができる。
【００２８】
また、リブは円弧状に限定されない。一方の側のリブを円弧状に形成し、他方の側のリブは直線状に形成してもよい。
【００２９】
なお、少なくとも前記リブの一方側のリブが、操作レバー回動軸１０と同心かつ同径の円弧状に形成するのが好ましい。
【００３０】
さらに、図１０のように、操作レバー２の一方にのみリブ１９ｂを形成するとともに、このリブに対応するステープラ本体１の一方の内側面にのみ互いに摺接するリブ１４ｂを形成し、操作レバー２の他方とステープラ本体１の他方の内側面２０、２１は直接に当接させるようにしてもよい。
【図面の簡単な説明】
【００３１】
【図１】本発明に係る医療用ステープラの斜視図である。
【図２】上記ステープラの前部の拡大縦断面図である。
【図３】上記ステープラの作動態様を示す縦断面図である。
【図４】上記ステープラの作動態様を示す縦断面図である。
【図５】（ａ）（ｂ）（ｃ）はステープルの折り曲げ態様説明図である。
【図６】上記ステープラの初期状態の縦断面図である。
【図７】図６のＸ−Ｘ線上の断面図である。
【図８】上記ステープラの作動時の縦断面図である。
【図９】図８のＹ−Ｙ線上の断面図である。
【図１０】他の実施例を図７と同じ断面で示す断面図である。
【符号の説明】
【００３２】
１    ステープラ本体
２    操作レバー
１４ａ、１４ｂ、１９ａ、１９ｂ    リブ
【図１】
2006006816.tif 000003
【図２】
2006006816.tif 000004
【図３】
2006006816.tif 000005
【図４】
2006006816.tif 000006
【図５】
2006006816.tif 000007
【図６】
2006006816.tif 000008
【図７】
2006006816.tif 000009
【図８】
2006006816.tif 000010
【図９】
2006006816.tif 000011
【図１０】
2006006816.tif 000012